(57)【要約】本発明は、互いに接続する格子棒を備える格子支持構造体に関し、格子支持構造体の長手方向に延びる格子棒及び該格子棒に直接に又は間接に接続する格子棒を備え、この接続格子棒が、格子支持構造体の長手方向に延びる格子棒間の間隔を格子支持構造体が折り畳まれた状態で減少させることができ、格子支持構造体が組み立てられた状態で広げさせることができるように、長手方向に延びる格子棒に接続されている格子支持構造体であって、１本、数本又は全ての接続格子棒が長手方向に延びる格子棒に置換可能に配置されているのではなく、むしろ接続格子棒が長手方向に延びる格子棒に回動可能に配置され、又は、長手方向に延びる格子棒に同じく回動可能に配置されたさらなる接続格子棒に回動可能に配置されることを特徴とする。【特許請求の範囲】
【請求項１】
互いに接続する格子棒を備える格子支持構造体であって、格子支持構造体の長手方向に延びる格子棒（１０）及び該格子棒に直接に又は間接に接続する格子棒（２０，３０）を備え、この接続格子棒（２０，３０）が、格子支持構造体の長手方向に延びる格子棒（１０）間の間隔を格子支持構造体が折り畳まれた状態で減少させることができ、格子支持構造体が組み立てられた状態で広げさせることができるように、長手方向に延びる格子棒（１０）に接続されている格子支持構造体であって、
１本、数本又は全ての接続格子棒（２０，３０）が、長手方向に延びる格子棒（１０）に置換可能に配置されているのではなく、むしろ長手方向に延びる格子棒（１０）に回動可能に配置され、又は、長手方向に延びる格子棒（１０）に同じく回動可能に配置されたさらなる接続格子棒に回動可能に配置されることを特徴とする格子支持構造体。
【請求項２】
互いに接続する格子棒を備える格子支持構造体であって、格子支持構造体の長手方向に延びる格子棒（１０）及び該格子棒に直接に又は間接に接続する格子棒（２０，３０）を備え、この接続格子棒（２０，３０）が、格子支持構造体の長手方向に延びる格子棒（１０）間の間隔を格子支持構造体が折り畳まれた状態で減少させることができ、格子支持構造体が組み立てられた状態で広げさせることができるように、長手方向に延びる格子棒（１０）に接続されている格子支持構造体であって、
１本、数本又は全ての接続格子棒（２０，３０）が、長手方向に延びる格子棒（１０）における固定位置に、又は、長手方向に延びる格子棒（１０）における固定位置に同じく回動可能に配置されたさらなる接続格子棒の固定位置に回動可能に配置されることを特徴とする格子支持構造体。
【請求項３】
請求項１又は２記載の格子支持構造体において、
少なくとも１本の、好ましくは数本又は全ての接続格子棒（２０，３０）が、格子支持構造体が組み立てられた状態で第１の長さを、格子支持構造体が折り畳まれた状態で第２の長さを備え、第１の長さが第２の長さよりも大きいことを特徴とする格子支持構造体。
【請求項４】
前記の請求項のいずれかに記載の格子支持構造体において、
接続格子棒（２０，３０）は、格子支持構造体の長手方向に延びる格子棒（１０）に枢支された旋回レバー（４０）を備える少なくとも１つの第１の端部を備えることを特徴とする格子支持構造体。
【請求項５】
請求項４記載の格子支持構造体において、
接続格子棒（２０，３０）は、一方の端部にだけ又は両方の端部に旋回レバー（４０）が設けられることを特徴とする格子支持構造体。
【請求項６】
請求項４又は５記載の格子支持構造体において、
接続格子棒（２０，３０）はマウント（２２，３２）を、好ましくは旋回レバー（４０）が配置されている端部領域に溝形状のマウント（２２，３２）を備え、前記マウントは、旋回レバー（４０）を少なくとも部分的に受け入れ可能であることを特徴とする格子支持構造体。
【請求項７】
前記の請求項のいずれかに記載の格子支持構造体において、
接続格子棒（２０，３０）は、格子支持構造体の１つの外表面又は複数の外表面に配置されることを特徴とする格子支持構造体。
【請求項８】
前記の請求項のいずれかに記載の格子支持構造体において、
格子支持構造体の長手方向に延びる格子棒（１０）が格子支持構造体の外端を形成することを特徴とする格子支持構造体。
【請求項９】
前記の請求項のいずれかに記載の格子支持構造体において、
格子支持構造体は、長手方向に繰り返す長手方向に延びる格子棒（１０）と、接続格子棒（２０，３０）と、からなる構造体を備えることを特徴とする格子支持構造体。
【請求項１０】
前記の請求項のいずれかに記載の格子支持構造体において、
格子支持構造体が組み立てられた状態で、格子支持構造体の長手方向に延びる格子棒（１０）の一方から他方まで格子支持構造体の長手方向に対して垂直に延びる接続支柱（５０）を備えることを特徴とする格子支持構造体。
【請求項１１】
請求項１０記載の格子支持構造体において、
接続支柱（５０）は、少なくとも１つのジョイントを備え、
このジョイントを用いて接続支柱（５０）は内側に折れた状態と外側に折れた状態との間で調節され得ることを特徴とする格子支持構造体。
【請求項１２】
請求項１１記載の格子支持構造体において、
格子支持構造体の長手方向に間隔を開けられた接続支柱（５０）が互いに接続されることを特徴とする格子支持構造体。
【請求項１３】
前記の請求項のいずれかに記載の格子支持構造体において、
接続支柱（５０）、及び／又は、接続格子棒（２０，３０）が少なくとも一か所に取り付けられるのに用いられる固定手段を備えることを特徴とする格子支持構造体。
【請求項１４】
離れて広がる構造を備える格子支持構造体、特に請求項１〜１３のいずれかに記載の格子支持構造体であって、
格子支持構造体は回動可能に配置された格子棒を備え、互いに枢支された部品の一方が突起部を備え、他方の部品が、三方を壁によって境界付けられ、且つ、前記一方の部品の突起部を回動可能に受け入れ可能な溝を備えるように枢支されていることを特徴とする格子支持構造体。
【請求項１５】
請求項１４記載の格子支持構造体において、
格子棒がその一方の端部領域に突起部を、他方の端部領域に溝を備え、又は、格子棒が両方の端部領域に溝若しくは突起部を備えることを特徴とする格子支持構造体。
【請求項１６】
請求項１４又は１５記載の格子支持構造体において、
格子棒によって特定の旋回位置に固定されたブレーキ装置を備えることを特徴とする格子支持構造体。
【請求項１７】
請求項１６記載の格子支持構造体において、
ブレーキ装置がドラムブレーキ又はシューブレーキからなることを特徴とする格子支持構造体。
【請求項１８】
請求項１７記載の格子支持構造体において、
前記シューブレーキは、互いに枢支された一方の部品に配置され、ブレーキの作動中に、互いに枢支されたもう一方の部品と同時に接触する２つの突起部を備えることを特徴とする格子支持構造体。
【発明の詳細な説明】
【技術分野】
【０００１】
本発明は、互いに接続する格子棒を備えた格子支持構造体に関し、格子支持構造体の長手方向に延びる格子棒だけでなく該格子棒に直接又は間接に接続する格子棒を備え、この接続格子棒が、格子支持構造体が折り畳まれた状態で格子支持構造体の長手方向に延びる格子棒間の間隔を減少させることができ、また組み立てられた状態で広げさせることができるように長手方向に延びる格子棒に接続されていることを特徴とする。
【背景技術】
【０００２】
このような格子支持構造体は、異なる形態が知られている。
【０００３】
例えば、支持要素、軸受要素又は他の機能を有する要素から構成される。上記格子支持構造体は、さらに格子支持構造体で囲まれた内部空間が階段やエレベータのような他の機能に利用され得るものとして知られている。
【０００４】
先行技術の格子支持構造体において、接続格子棒が配置されたスリーブは長手方向に延びる格子棒上を動く。したがって、格子支持構造体が折り畳まれる場合や組み立てられる場合に、格子支持構造体が所望の最終的な姿勢に至るまで格子支持構造体の長手方向に延びる格子棒上のスライドスリーブが変位する。
【発明の概要】
【発明が解決しようとする課題】
【０００５】
本発明の目的は、従来知られた格子支持構造体に対して単純化された上記特徴を有する格子支持構造体をさらに発展させることである。
【課題を解決するための手段】
【０００６】
この目的は、接続される少なくとも１本の格子棒が、好ましくは全ての格子棒が長手方向に延びる格子棒上に置換可能に配置されるのではなく、その格子棒上に回動可能に配置されるという請求項１のプリアンブル部分に従う格子支持構造体によって満たされる。或いは又はさらに、長手方向に延びる格子棒の１つに同じく回動可能に接続された格子棒に回動可能に配置される格子棒が存在してもよい。従来知られた格子支持構造体との違いとして、従来知られた格子支持構造体において接続格子棒が配置され、長手方向に延びる格子棒上を動く従来技術で知られたスライドスリーブを完全に又は部分的に省くことができるという事実がある。それによって、格子支持構造体の構造がよりシンプルになる。さらに、長手方向に延びる格子棒上を何も無い状態に保つためのスライドスリーブの走行面が全く無いという点が有利である。また、接続格子棒が長手方向に延びる格子棒上を走るのに用いられるスライドスリーブを備えないのが好ましい。
【０００７】
本発明の追加的な実施形態は、互いに接続する格子棒を備えた格子支持構造体であって、格子支持構造体の長手方向に延びる格子棒及び該格子棒に直接に又は間接に接続する格子棒を備え、接続格子棒は格子支持構造体の長手方向に延びる格子棒間の間隔が格子支持構造体が折り畳まれる状態で減少させることができ、組み立てられる状態で広げさせるように長手方向に延びる格子棒に接続され、１本、数本又は全ての接続格子棒が長手方向に延びる格子棒の固定点に同じく回動可能に配置される接続格子棒の固定点に回動可能に配置されることを特徴とする。
【０００８】
少なくとも１本の接続格子棒が、格子支持構造体が組み立てられた状態で第１の長さを備え、折り畳まれた状態で第２の長さを備えており、第１の長さが第２の長さよりも大きいという本発明の好適な実施形態が提供される。例えば、格子棒が、格子支持構造体の長手方向に延びる格子棒に回動可能に接続される旋回レバーを第１の端部領域に備えることで格子棒の長さの変化が起きる。旋回レバーが内側に旋回した状態では、格子棒の長さは比較的小さく、外側に旋回した状態では、格子棒の長さは比較的大きい。
【０００９】
接続格子棒の一方の端部だけにそのような旋回レバーを設け、旋回レバーを用いない場合には、接続格子棒を長手方向に延びる格子棒に回動可能に接続してもよい。また、一般的に接続格子棒の両端部に旋回レバーを備えてもよい。
【００１０】
接続格子棒がマウント、好ましくは溝形状のマウント、を備え、接続格子棒の端部領域に旋回レバーが配置され、旋回レバーを前記マウントに少なくとも部分的に受け入れ可能なさらなる実施形態が提供される。
【００１１】
接続格子棒が格子支持構造体の１つの外表面又は複数の外表面に配置されるという本発明のさらなる実施形態が提供される。そして、格子支持構造体の長手方向に延びる格子棒は、格子支持構造体の外端を形成してもよい。
【００１２】
例えば、断面が正方形又は長方形であり、その角部が長手方向に延びる格子棒によって形成され、構造体の間を接続格子棒が延びる格子支持構造体でもよい。しかしながら、本発明では、断面形状がここに示したものに限定されず、他の断面形状でもよい。
【００１３】
格子支持構造体は、長手方向に繰り返す接続格子棒からなる構造を備えてもよい。例えば、２つの接続する格子部品がそれぞれ交差するように延びたり、この交差する配置が格子支持構造体の長手方向に繰り返してもよい。
【００１４】
本発明のさらなる実施形態では、接続支柱が存在し、この接続支柱は、格子支持構造体が組み立てられた状態で、格子支持構造体の長手方向に延びる格子棒の一方から他方へと格子支持構造体の長手方向に対して垂直に延びる。
【００１５】
これら接続支柱は、折り畳まれた状態と組み立てられた状態との間で調節されるのに用いられる少なくとも１つのジョイントを備えてもよい。接続支柱は、格子支持構造体の長手方向に間隔を空けられて互いに接続されてもよい。それはこのように、例えば接続支柱の１つに接続された他の接続支柱を動かすために、その１つの接続支柱を動かすことによって可能となる。これは、例えば、格子支持構造体を折り畳まれた状態や組み立てられた状態で固定するのに必要である。
【００１６】
接続支柱、及び／又は、接続格子棒が少なくとも一カ所に取り付けられるのに用いられる固定手段が配置されるという特に有利な本発明の実施形態が提供される。
【００１７】
格子支持構造体が安全に組み立てられた状態にするために固定手段が配置されるのが好ましい。
【００１８】
本発明はさらに、離れて広がる構造を備える格子支持構造体であって、特に請求項１〜１３のいずれかに記載の格子支持構造体に関し、回動可能に配置された格子棒を備え、互いに回動可能に接続された部品の一方が突起部を備え、他方の部品が、三方を壁によって境界付けられ、且つ、前記突起部を回動可能に受け入れ可能な溝を備えることを特徴とする。溝の底部は境界の役目をするため、格子棒の旋回運動は上記部品の一方が溝の底部に横たわるまで可能である。この位置において、格子棒は遮られ、さらに旋回することはできない。このような回動可能な接続は、格子棒の２つのセグメントが互いに回動可能に接続されているところ、及び／又は、格子棒が格子支持構造体の他の部分に回動可能に接続されているところに提供される。
【００１９】
接続格子棒は、その一方の端部領域に突起部を、他方の端部領域に上記溝を備えてもよい。このように、複数の接続格子棒を互いに接続したり、又は、異なる長さの接続格子棒を備えてもよい。一般に、格子棒の両端を溝又は上記突起部にしてもよい。  
【００２０】
本発明は、特定の旋回位置に接続格子棒を固定するブレーキ装置や固定装置に特に有利である。例えば、ドラムブレーキ、ディスクブレーキ又はシューブレーキである。このブレーキは、例えば、油圧や機械で作動する。ブレーキは、２つの突起部を備えるブレーキシューを備え、前記ブレーキは、ブレーキ作動時に、それぞれ隣接する部分に同時に接触し、例えば上記突起部に接触し、そして理想的なブレーキ効果を生み出す。
【００２１】
本発明のさらなる詳細及び効果は、図面に示された実施形態を参照して説明される。
【図面の簡単な説明】
【００２２】
【図１】組み立てられた状態における格子支持構造体の斜視図である。
【図２】折り畳まれた状態における格子支持構造体の斜視図である。
【図３Ａ】図１及び図２に示す格子支持構造体の異なる方向から視た斜視図である。
【図３Ｂ】図１及び図２に示す格子支持構造体の詳細図である。
【図３Ｃ】図１及び図２に示す格子支持構造体の詳細図である。
【図３Ｄ】図１及び図２に示す格子支持構造体の詳細図である。
【図３Ｅ】図１及び図２に示す格子支持構造体の詳細図である。
【図４】本発明の他の実施形態に係る格子支持構造体の組み立てられた状態における斜視図である。
【図５Ａ】図４に示す格子支持構造体の異なる方向から視た斜視図である。
【図５Ｂ】図４に示す格子支持構造体の詳細図である。
【図５Ｃ】図４に示す格子支持構造体の詳細図である。
【図５Ｄ】図４に示す格子支持構造体の詳細図である。
【図５Ｅ】図４に示す格子支持構造体の詳細図である。
【図５Ｆ】図４に示す格子支持構造体の詳細図である。
【図５Ｇ】図４に示す格子支持構造体の詳細図である。
【発明を実施するための形態】
【００２３】
図１は、参照番号１０によって、格子支持構造体の長手方向に延び、格子支持構造体の断面において４つの角を形成するように互いに配置される４本の格子棒を示す。格子支持構造体の部分が示されている。複数のこのような部分が適切な連結、例えばボルト継ぎ手によって連結されている。さらに図１から分かるように、２本の各格子棒１０は、各格子棒１０に接続された複数の格子棒２０，３０によって接続されている。そして、図１から分かるように、どの場合にも２本の格子棒２０，３０は交差するように延びている。この交差する配置は、図１から分かるように、格子支持構造体の長手方向に続いている。
【００２４】
明確にするために、図中の格子支持構造体の全ての要素に参照番号が与えられているとは限らない。参照番号は、説明に必要な範囲のみに割り当てられている。
【００２５】
さらに図１から分かるように、接続格子棒２０，３０が格子支持構造体の４つの外表面を形成する一方、格子棒１０は角部を形成する。
【００２６】
ここで、仮にこの構造体を長手方向に順に３つのセグメントに分割すると、結果として、各セグメントは、実質的に長手方向に延びる格子棒１０と接続格子棒２０，３０からなる同じ配置を備える。長手方向に延びる４本の格子棒１０及び８本の接続格子棒２０，３０は、セグメントごとに設けられており、うち２本の接続格子棒２０，３０はセグメントの外表面すなわち格子支持構造体の外表面に配置されている。
【００２７】
重要なことは、格子棒２０，３０が長手方向に延びる格子棒１０上のスライドスレーブに配置されるのではなく、格子棒２０，３０が関節点を経由して格子棒１０に直接又は間接に接続されることである。この関節点は、示された実施形態において固定場所を有する。
【００２８】
さらに図１から分かるように、接続格子棒２０，３０はそれぞれ一方の端部領域に旋回レバー４０を備えている。この旋回レバー４０は、一方が格子棒２０，３０の残りの部分に枢支され、他方が格子支持構造体の長手方向に延びる格子棒１０に枢支されている。旋回レバー４０と格子棒２０，３０の他の部分との間の接続は、旋回レバー４０が折り畳まれて接続格子棒２０，３０の全長が自然に縮小するようになっている。図１に示す実施形態において、旋回レバー４０は外側に折り畳まれる、すなわち、全ての接続格子棒２０，３０は可能な限り大きな長さを備える。
【００２９】
旋回レバー４０を受け入れるために、接続格子棒２０，３０は溝型マウント２２，３２を隣接部分に備え、例えば図２から分かるように、旋回レバー４０は少なくともその一部が格子支持構造体が折り畳まれた状態で溝型マウント２２，３２に受け入れられる。できるだけコンパクトな配置を実現するために、接続格子棒２０，３０はさらに凹部２４，３４を備え、旋回レバー４０は、格子支持構造体が折り畳まれた状態でその中に受け入れられ、長手方向に延びる格子棒１０に枢支される。
【００３０】
格子支持構造体は、格子支持構造体の長手方向に垂直に広がる平面に並ぶように配置される接続支柱５０をさらに備えている。この接続支柱５０は、それぞれ長手方向に延びる２本の格子棒１０に接続する。図１から分かるように、接続支柱５０は、格子支持構造体が組み立てられた状態で四角形の一辺を形成する。接続支柱５０は、この状態で直線状である。
【００３１】
接続支柱５０、及び／又は、一群の接続支柱５０は、長手方向に互いに離れて配置されている。これらは、格子支持構造体が折り畳まれた状態で接続支柱の要素が格子支持構造体の長手方向に十分に延びるように、少なくとも１つのジョイントを経由して折り畳まれている。
【００３２】
さらに図１から分かるように、接続要素５２は、それぞれ長手方向に隣接する２本の接続支柱５０を接続するように配置されている。
【００３３】
図示された状態に接続支柱５０を固定し、格子支持構造体が望ましくない形で倒れるのを防止する固定手段が備えられている。さらに、旋回レバー４０が内側に旋回するのを防ぐ接続要素が配置されている、つまり言い換えると、格子棒２０，３０は、長手方向に延びる接続格子棒１０間の間隔を保持する。接続支柱５０を固定するために、接続格子棒２０，３０が回転レバー４０を有しない端部において固定されてもよい。または、最終的に格子棒２０，３０の交点において固定してもよい。互いに格子棒２０，３０の位置が変化するのを防ぐために、クランプ、ボルト又は同種のものを利用することができる。
【００３４】
図２は、上記のように、図１の折り畳まれた状態における配置を示す。図３は、図１及び図２に示す格子支持構造体の異なる図を示す。格子支持構造体の同じ水平面及び側面に位置する接続格子棒２０，３０が交差するように伸びていることが図３Ａ，３Ｂ及び３Ｃから明らかである。
【００３５】
図３Ｅから明らかなように、格子支持構造体は、断面又は平面視において角部が長手方向に延びる格子棒１０によって形成された四角形を形成している。
【００３６】
図３Ｄは、図３Ｂの細部Ｂを示す。この図から再度明らかなように、格子棒は一方の端部領域に旋回レバーが設けられ、前記旋回レバーは隣接領域及び長手方向に延びる格子棒１０に枢支されている。その一方、隣接する枢支された格子棒３０は、ここに示された端部において旋回レバーが設けられていない。格子棒２０，３０の格子棒１０への枢支は、およそ又は正確に接続要素５０も配置された水平面で行われる。
【００３７】
図４は、本発明のさらなる実施形態における格子支持構造体の配置を示す。この実施形態は、実質的に第１の実施形態と同じであるが、いくつかの接続格子棒２０，３０が長手方向に延びる格子棒１０に直接接続するのではなく、間接的に接続するという相違がある。
【００３８】
図４に示す格子支持構造体の異なる斜視図及び詳細図を示す図５を参照する。
【００３９】
図５Ａ、５Ｂ、５Ｃから分かるように、格子支持構造体の基本的な構造は、長手方向に延びる４本の格子棒１０を有し、格子棒１０に直接又は間接に接続する格子棒２０，３０が配置されている。図５Ｇから分かるように、この格子支持構造体も断面が長方形状に設計されている。
【００４０】
図５Ｄの細部Ａに示す格子棒の配置は、すでに図１から図３について説明されたものと同じである。この場合、接続格子棒２０，３０の端部は長手方向に延びる格子棒１０に直接枢支され、格子棒２０の一端部に旋回レバー４０を備える。
【００４１】
一方、細部Ｂ及び細部Ｃから、接続格子棒２０，３０のいくつかは長手方向に延びる格子支持構造体の格子棒１０に直接接続されるのではなく、間接的にのみ接続されていることが分かる。図５Ｅの細部Ｂから分かるように、格子棒２０は、レバー６０を経由して格子棒３０に枢支されている。しかしながら、格子棒２０は、長手方向に延びる格子棒１０に直接枢支されていない。したがって、同じことが図５Ｆの細部Ｃに適用される。ここで、格子棒２０のみが、格子棒３０ではなく、格子棒１０に直接枢支されている。前記格子棒は、上記のように、接続レバー６０を経由して格子棒２０に枢支されている。図１から図３に示された実施形態から離れて、図４，５に示すいくつかの格子棒２０，３０は、接続点の領域において交差して格子棒１０に向かって延びていない。
【図１】
2011529143.tif 000002
【図２】
2011529143.tif 000003
【図３Ａ】
2011529143.tif 000004
【図３Ｂ】
2011529143.tif 000005
【図３Ｃ】
2011529143.tif 000006
【図３Ｄ】
2011529143.tif 000007
【図３Ｅ】
2011529143.tif 000008
【図４】
2011529143.tif 000009
【図５Ａ】
2011529143.tif 000010
【図５Ｂ】
2011529143.tif 000011
【図５Ｃ】
2011529143.tif 000012
【図５Ｄ】
2011529143.tif 000013
【図５Ｅ】
2011529143.tif 000014
【図５Ｆ】
2011529143.tif 000015
【図５Ｇ】
2011529143.tif 000016